(57)【要約】【課題】本考案は、使用者が腰部をひねり動かす力と、手すりを引く力と、車体は弧を描き、左右後方の後輪が交互に動き車体前進する運動器に関する。【解決手段】本考案は、機台５と、機台縦方向に形成した背部５１と、機台両側に形成した踏み板５２と、機頭下に形成した駆動輪６と、背部後方内部に形成した後輪７と、踏み板下に形成した前後補助輪７１、７２から構成し、機台を傾けて容易に助走し安定して踏み台に立つことができ、腰と足をひねり動かして操作し前進する腰運動器。【選択図】　図３
0003097676.tif 000002
【実用新案登録請求の範囲】
【請求項１】
本考案は、機台と、機台上中央縦方向に形成した背部と、前方機頭下に形成した偏心駆動輪と、背部下端両側外向きに伸びた踏み板と、踏み板下に形成した前後に直線を描き機台と平行に配列し地表と平行な前後補助輪と、背部後方内部下に形成した後輪から構成し、両側補助輪は中に浮き、機台は水平な状態を形成し、使用者は立ち乗り方式で腰と足をひねり回転して操作し機台を振って前進したり方向転換することを特徴とする腰運動機。
【請求項２】
背部両側に弾力性を備えた圧力クッションを設けることを特徴とする請求項１記載の腰運動器。
【請求項３】
前後補助輪を使用しないことができることを特徴とする請求項１記載の腰運動器。
【請求項４】
後輪を使用しないことができることを特徴とする請求項１記載の腰運動器。
【請求項５】
車体は上部縦方向に形成した背部と、背部両側底板近くに外向きに伸びた踏み板と、車体前方下に形成したアームに接続した駆動輪と、後方両側に形成した左右後輪から構成し、使用者は立ち乗り方式で、腰をひねり足の操作と合わせて車体を左右に揺らしながら前進することを特徴とする腰運動器。
【請求項６】
車体前方相関した駆動輪の軸上端は軸を利用しハンドルに連動することを特徴とする請求項１記載の腰運動器。
【請求項７】
背部両側は圧力クッションを設けることができることを特徴とする請求項１記載の腰運動器。
【考案の詳細な説明】
【０００１】
【考案の属する技術分野】
本考案は立ち乗り方式で、使用者は腰と足の運動により車体を揺らして前進方向転換し、どの年齢層でも使用できる腰運動器を提供する。
【０００２】
【従来の技術】
一般の腰運動器は大部分子供が座り利用する方式で、ハンドルを手で操作し連動したタイヤを交互に切りながら前進した。座って腰をひねり前進することは刺激があり、難易度が高かった。
【０００３】
そこで、立ち乗り方式の腰運動器が産み出された。図１に示すように、車体８は後方上部に平面の踏み板８１を形成し、車体８前方下に形成した駆動輪８２と、後方下に形成したタイヤ８３から構成し、駆動輪８２は下に接続したアーム８５がタイヤ８６に接続した軸８４により車体８と接続する。操作時、必ず踏み板８１上に立ち乗りする方式で、駆動輪８２とタイヤ８３両点に車体を載せているため、静態時、車体は完全に倒れ使用時不便だった。
【０００４】
【考案が解決しようとする課題】
しかしながら、図２に示すように、タイヤと踏み板はＴ字状に形成され、使用者は踏み板８１を水平に安定させなければならず、熟練していなければすぐに踏み板８１が翻り落ちてしまった。踏み板８１と地表間は一定の高さＨがあり、高さＨはタイヤ上縁よりも高く重心が上にあるため足を蹴るとき、踏み板８１が容易に翻り落ちて踝を傷つけた。また、乗り始めに、瞬間的に安定した状態に入ることは非常に難しい訓練を必要とする以外に、棒状のものを利用して後ろに押し動かして前進して助走するため、前進後棒状のものを離さなければ使用者の手足が自由に動かすことができず、停車時、使用者は必ず速度を緩め跳んで離れなければならず操作が非常に難しく一般の人は使用できず、子供に対しては危険が大きかった。
【０００５】
そこで本考案は、重心を低くし、使用時、停車時に安全で、踝を保護し、跳躍するスケート式公演をすることができ、従来あった難易度を取り除き、初心者でも容易に操作し前進させることができることを目的とする。
【０００６】
【課題を解決するための手段】
本考案は、機台と、機台上中央縦方向に形成した背部と、機台両側に形成した踏み板と、機頭下に形成した偏心駆動輪と、背部後方内部に形成した後輪と、踏み板下に形成した補助輪から構成し、機台を傾けて容易に助走し、安定して踏み台に立つことができ、腰と足をひねり動かして操作し前進する腰運動器。
【０００７】
【考案実施の形態】
本考案の構造を図３に示す。本考案は、上部中央縦方向に突出した背部５１と背部５１両側に外へ向けて水平に広がった踏み板５２を形成し、前方機頭５０下に偏心駆動輪６と後方下背部５１内部に形成した後輪７と、前後左右両側に前後補助輪７１、７２を接続した機台５から構成する。
【０００８】
機台５下の関係を図４に示す。機台５は下前方に偏心駆動輪６と、後方に後輪７を接続し、両踏み板５２下に前後補助輪７１、７２を形成し、前後補助輪７１、７２は直線関係にあり、機台５と縦方向平行に排列する。
【０００９】
図５に示すように、両補助輪７１、７２は、図４に示したように機台５と縦方向である以外に、前後補助輪７１、７２の下円を通り地表と平行な直線Ｌ１を形成する。機頭５０に形成した軸孔５３は、軸６１を通し偏心駆動輪６を固定接続し、偏心駆動輪６は偏心アーム６２を通して後ろにタイヤ６３を接続する。タイヤ６３と縦方向の線をもつ軸６１のためタイヤは偏って回転する。また、後輪７の大部分は機台５に形成した背部５１下内部に位置し、後輪７の軸心位置は踏み板５２の高さになるため重心は安定した高さになる。
【００１０】
本考案背面図を図６に示す。後輪７は機台５背部５１内部に位置し、背部５１底部は左右両側が外向きに伸びて踏み板５２を形成し、踏み板５２側面下に補助輪７１、７２を形成する。補助輪７１、７２と後輪７はそれぞれ下円端の接点は直線を形成し、地表と角度θを形成する時車体は水平を保ち、両側それぞれ補助輪７１、７２は地表との間に空間を形成し、後輪７が地表に接する。
補助輪７１、７２に形成した軸心線と後輪７の軸心は異なるため、補助輪７１、７２が地表面に接した時、軸心線と地表面は水平になる。
【００１１】
図７に示すように、補助輪の軸心線は機台５が斜めに傾く時、地表と平行になる。図に示すように、使用者は走行時、片足を踏み板５２に乗せ、機台５を傾けもう一方の足で地表を蹴り本考案を押し動かす力を得る時、補助輪７１、７２と後輪７間は図４に示すように３角形の面積Ａを形成し、機台５を斜めに傾かせることができる。この過程において偏心駆動輪も地表に接するが、助走時、偏心駆動輪６の作用は排除され、全体が動き出すと、もう一方の足をもう一つの踏み板にのせ、容易に車体に立つことができ、助走前進ひねり回転するのに便利である。
【００１２】
ひねり前進する操作は、図５に示した偏心設計を備えた偏心駆動輪６を利用する。偏心駆動輪６は偏心アーム６２のためタイヤ６３と軸６１間に距離Ｄを形成し、機台５が左右に揺れる時、軸６１は弧を描いて連動する。さらに軸６１の縦方向線との間に形成する距離Ｄによりタイヤ６３は偏って回転し、その過程において摩擦係数が異なり偏心アーム６２と回転方向正面中央点との距離変化により、車体８は反作用力を産み出し、機台５を連動し前進する。この方式は従来の設計によるためここでは再度述べることはしない。
【００１３】
図３に示すように、機台５縦方向に背部５１を形成する。本体は踏み板５２の高さが低い以外に、プラスチック製のため、曲線構造により機械の構造力の強度を高める。
【００１４】
背部５１は使用者が立つ両踝間に位置し、軟質の圧力クッション４を設けた場合、踝を保護し、スケートのような滑りをする時、使用者は両踝で機台を挟み空中で半身回転或いは１８０度に回転したり、後ろ向きに走行することができる。
【００１５】
ひねり後方へ移動する操作過程は、偏心駆動輪６が軸６１を通して機頭５０に固定し、偏心駆動輪６が偏心アーム６２を設けていることにより、偏心アーム６２は車体に対して自由に３６０度回転することができ、操作応用許可範囲内で好きな方向へひねり動かすことができる。
【００１６】
本考案は前進運動以外にひねったり後退するようなスケート式に滑る操作もすることができ、ひねったり後退する時、背部５１があるため踝で挟み容易に操作することができ、多種多様な操作をするために便利である。ひねったり後退する操作は機台５が安定している時に可能である。
【００１７】
図４に示すように、本考案は、後輪７と２つの後補助輪７２、偏心駆動輪６から三角関係を形成し、安定させて助走操作を省略して乗ることができ、どのような人でも簡単に利用することができる。
【００１８】
もう一つの実施例は、前後補助輪７１、７２を選択或いは免除し、４輪、３輪或いは２輪など各種組み合った状態にすることができ、使用者は難易度高い技術を訓練できる。或いは、図８に示すように、車体１は縦方向に形成した背部１４と、背部１４両側外向きに伸びた踏み板１１と、前方下に設けた駆動輪２と、車体後方側面に設けた左右両後輪３から成り、背部１４は弾力性のある圧力クッション１５を装備し、足が挟んで操作することのできる挟み込み部１０を形成する。
【００１９】
図９に示すように、本考案の車体１は、後方に設けた左後輪３１と右後輪３２と、車体両側に形成した踏み板１１と、前方下に設けた偏心駆動輪２から構成する。
【００２０】
図１０に示すように、本考案の車体１は後方下に後輪３を設け、踏み板１１を底板位置近くに設け、前方位置に軸孔１２を形成し、下にアーム２２を連結し偏心し末端にタイヤ２１を接続した軸２３から成る駆動輪２を軸孔１２に差し込み接続し上方をナット２４で固定し、上部にハンドル１３を固定する。タイヤ２１中心と軸２３中心線間に距離Ｄを形成する。軸２３が回転運動する時、左右時計回り、逆時計回り双方向に回転し、ハンドルも左右に偏って回転し、自由自在に動く。
【００２１】
本考案の駆動原理を図１１、図１２、図１３、図１４、図１５に示す。底面図としてタイヤ２１と車体１の関係図を図１１に示す。車体１は、後方両側に左後輪３１と右後輪３２を設け、前方にアーム２２により軸２３に連結しら駆動輪２を設け、軸２３中心とタイヤ２１軸心間に距離Ｄを形成する。使用者が立った時、姿勢の重心は後方側面両タイヤと駆動輪が形成した三角形面積Ａ内部に落ちるため、車体静態時、使用者は安定して車体上方に立つことができる。
【００２２】
図１２に示すように、車体１は背部１４により挟み込み部１０を形成し、使用者は踏み板１１に乗った後、下向き圧力の摩擦力を利用し或いはつま先が挟み込み部１０の挟む圧力により車体の偏った回転運動をコントロールする。
【００２３】
図１３に示すように、車体前進原理のため、左向きに偏り回転する操作をする時、左後輪３１は円心点となり、右後輪３２は車体と共に動き、上向きに弧を描くように移動し、タイヤ２と軸２３はアーム２２により連動し、タイヤ２１は横斜め向きになる。
【００２４】
図１４に示すように、車体１が右へ弧を描くように動く時、タイヤ２と軸２３は反対方向に動き、右後輪３２は円心点となり、左後輪３１は上方へ弧を描くように移動する。車体１が回転運動する時、アーム２２の作用はアーム２２とタイヤ２中心位置は後方へ押し動かす動力を形成し、車体全体は後輪を交互に切り進める以外、駆動輪２と車体の軸２３間のアーム２２は押し動かす力量を形成し、軸２３は前方に移動し車を前進させる。
【００２５】
車体前進操作運行線を図１５に示す。左後輪３１と右後輪３２間は距離Ｒを形成し、左後輪３１が前方に移動する時、右後輪３２は円心となり距離Ｒは半径と成り上方へ移動し、距離ＲはＲ１、Ｒ２と成り半径を維持し、左後輪、右後輪は交互に切り進み、前進距離である移動距離Ｌを形成する。
【００２６】
図８に示すように、車体１背部１４側面に弾力性のある圧力クッション１５設け、両側圧力クッション１５は挟み込み部１０を形成する。
【００２７】
【考案の効果】
弾力性を備えた挟み込み部１は踝を保護し、走行速度が一定に達した時、挟み込み部を両足で挟み、跳び上がって車体を空中に持ち上げスケートのように跳び上がり方向転換したり、運動場にあるＵ型の段で跳び上がり方向転換をしたりスケートのように公演するのに便利である。
【００２８】
背部１４の存在により車体全体縦方向が補強され、プラスチック質のため成型に便利である。
【図面の簡単な説明】
【図１】従来製品立体斜視図である。
【図２】従来製品背面図である。
【図３】本考案一実施例による立体斜視図である。
【図４】本考案一実施例による底面図である。
【図５】本考案一実施例による側面図である。
【図６】本考案一実施例による背面図である。
【図７】本考案一実施例による操作状態背面図である。
【図８】本考案一実施例による立体外観斜視図である。
【図９】本考案一実施例による各タイヤ関係位置底面図である。
【図１０】本考案一実施例による構造関係側面図である。
【図１１】本考案一実施例による操作応用機構図である。
【図１２】本考案一実施例による操作機動図（１）である。
【図１３】本考案一実施例による操作機動図（２）である。
【図１４】本考案一実施例による操作機動図（３）である。
【図１５】本考案一実施例による運行線図である。
【符号の説明】
１　　　　車体
２　　　　駆動輪
３　　　　後輪
４　　　　圧力クッション
５　　　　機台
６　　　　駆動輪
７　　　　後輪
８　　　　車体
１０　　　挟み込み部
１１　　　踏み板
１２　　　軸孔
１３　　　ハンドル
１４　　　背部
１５　　　圧力クッション
２１　　　タイヤ
２２　　　アーム
２３　　　軸
２４　　　ナット
３１　　　左後輪
３２　　　右後輪
５０　　　機頭
５１　　　背部
５２　　　踏み板
５３　　　軸孔
６１　　　軸
６２　　　アーム
６３　　　軸
７１　　　前補助輪
７２　　　後補助輪
８１　　　踏み板
８２　　　駆動輪
８３　　　タイヤ
８４　　　軸
８５　　　アーム
８６　　　タイヤ
Ａ　　　　面積
Ｄ　　　　距離
Ｈ　　　　高さ
Ｌ　　　　移動距離
Ｌ１　　　　直線
Ｒ　　　　距離
Ｒ１　　　　距離
Ｒ２　　　　距離
Ｒ３　　　　距離
Ｒ４　　　　距離
θ　　　　角度
【図１】
0003097676.tif 000003
【図２】
0003097676.tif 000004
【図３】
0003097676.tif 000005
【図４】
0003097676.tif 000006
【図５】
0003097676.tif 000007
【図６】
0003097676.tif 000008
【図７】
0003097676.tif 000009
【図８】
0003097676.tif 000010
【図９】
0003097676.tif 000011
【図１０】
0003097676.tif 000012
【図１１】
0003097676.tif 000013
【図１２】
0003097676.tif 000014
【図１３】
0003097676.tif 000015
【図１４】
0003097676.tif 000016
【図１５】
0003097676.tif 000017